(57)【要約】【課題】ドレンパンの排水口まわりの点検を容易にする。【解決手段】  室内ユニット２は、ケーシング４０と蒸発器１１とドレンパン１７と電装品箱１６とを備える。ケーシング４０は、正面板４０ａを有する。蒸発器１１は、ケーシング４０の内部に配置される。ドレンパン１７は、ケーシング４０の内部に配置され、本体部１７ａと延長部１７ｂとを有する。本体部１７ａは、蒸発器１１において発生するドレン水を受け取る。延長部１７ｂは、本体部１７ａに連通し、本体部１７ａから正面板４０ａ側へと延びる。電装品箱１６は、正面板４０ａ側から本体部１７ａへのアクセスを妨げるように、正面板４０ａと本体部１７ａとの間に固定的に配置される。延長部１７ｂには、本体部１７ａが受け取ったドレン水をドレン管４１へと排水する排水口１９が形成されている。ドレン管４１は、ケーシング４０の外部に連通する。【選択図】図２
2008070003.tif 000002
【特許請求の範囲】
【請求項１】
メンテナンス面部（４０ａ）を有するケーシング（４０）と、
前記ケーシング（４０）の内部に配置される熱交換器（１１）と、
前記ケーシング（４０）の内部に配置され、前記熱交換器（１１）において発生するドレン水を受け取る受け取り部（１７ａ）と、前記受け取り部（１７ａ）に連通し前記受け取り部（１７ａ）から前記メンテナンス面部（４０ａ）側へと延びる延長部（１７ｂ）とを有するドレンパン（１７）と、
前記メンテナンス面部（４０ａ）側から前記受け取り部（１７ａ）へのアクセスを妨げるように、前記メンテナンス面部（４０ａ）と前記受け取り部（１７ａ）との間に固定的に配置される部品（１６）と、
を備え、
前記延長部（１７ｂ）には、前記受け取り部（１７ａ）が受け取った前記ドレン水を前記ケーシング（４０）の外部に連通するドレン管（４１）へと排水する排水口（１９）が形成されている、
空気調和装置（２）。
【請求項２】
皿形状の前記延長部（１７ｂ）の少なくとも一部分の蓋をする蓋部（１８）、
をさらに備え、
前記蓋部（１８）は、取り外し可能である、
請求項１に記載の空気調和装置（２）。
【請求項３】
前記部品（１６）は、第１部分（１６ａ）と、前記第１部分（１６ａ）に前記メンテナンス面部（４０ａ）側から見て左右方向に隣接し前記第１部分（１６ａ）よりも上下方向に長い第２部分（１６ｂ）とを有し、
前記延長部（１７ｂ）は、前記メンテナンス面部（４０ａ）側から見て前記第２部分（１６ｂ）に左右方向に隣接し、かつ、前記第１部分（１６ａ）に上下方向に隣接する、
請求項１または２に記載の空気調和装置（２）。
【請求項４】
前記延長部（１７ｂ）と前記第１部分（１６ａ）との間には、前記メンテナンス面部（４０ａ）側から見て空隙（Ｓ１）が存在している、
請求項３に記載の空気調和装置（２）。
【請求項５】
前記熱交換器（１１）は、上下方向から見て前記メンテナンス面部（４０ａ）と直交する方向の断面視形状がＶ字形状である、
請求項１から４のいずれかに記載の空気調和装置（２）。
【請求項６】
前記部品（１６）は、電装品箱である、
請求項１から５のいずれかに記載の空気調和装置（２）。
【発明の詳細な説明】
【技術分野】
【０００１】
本発明は、空気調和装置に関し、特に、電算機室で用いられる空気調和装置に関する。
【背景技術】
【０００２】
一般に、空気調和装置のケーシングの内部には、熱交換器が設けられている。さらに、空気調和装置のケーシングの内部には、熱交換器の表面において空気中に含まれる水分が結露することにより発生するドレン水を回収するためのドレンパンが設けられることが多い。ドレンパンにより回収されたドレン水は、ドレンパンの底に形成された排水口を通じてドレン管へと導かれ、ドレン管を通ってケーシングの外部へと排出される。
【０００３】
ところで、ドレン水にはケーシングの内部の塵や埃などが混入することがあり、こうした塵や埃は排水口を詰まらせたり、排水口まわりを汚染したりする原因となり得る。排水口の詰まりなどによってドレン水を適切にケーシングの内部から排出できない場合には、ドレンパンから溢れ出たドレン水がケーシングの内部の部品に付着して故障を招いたり、あるいは、汚染されたドレン水が空調された空気とともに室内に送られたりするなどといった不具合がもたらされる可能性がある。特に、電算機室に設置される空気調和装置にあっては、ドレン水を適切に排出し、上記不具合を回避することが重要である。
【０００４】
そこで、特許文献１では、ケーシングに透明または半透明の小窓を形成し、外部からドレンパンの排水口まわりを点検することを可能にしている。
【特許文献１】特開２００２−２４３１９１号公報
【発明の開示】
【発明が解決しようとする課題】
【０００５】
しかしながら、近年、空気調和装置の小型化が進んでおり、空気調和装置のケーシングの内部に収容されるべき各部品が他の部品の合間を縫うようにして配置されることがある。例えば、ドレンパンがケーシングの中央付近に配置され、かつ、ドレンパンとケーシングのメンテナンス面部との間に別の部品が配置されてしまうと、メンテナンス作業者はドレンパンの排水口まわりを点検することが困難になってしまう。なお、メンテナンス面部とは、ケーシングの内部に収容されている各種部品のメンテナンスを可能にするためのケーシングの一側面であって、例えば、開閉可能な扉形状となっていたり、取り外し可能となっていたり、内部を視認するための小窓が設けられていたりするものである。
【０００６】
本発明の課題は、ドレンパンの排水口まわりを容易に点検することが可能な空気調和装置を提供することにある。
【課題を解決するための手段】
【０００７】
第１発明に係る空気調和装置は、ケーシングと、熱交換器と、ドレンパンと、部品とを備える。ケーシングは、メンテナンス面部を有する。熱交換器は、ケーシングの内部に配置される。ドレンパンは、ケーシングの内部に配置され、受け取り部と、延長部とを有する。受け取り部は、熱交換器において発生するドレン水を受け取る。延長部は、受け取り部に連通し、受け取り部からメンテナンス面部側へと延びる。上記部品は、メンテナンス面部側から受け取り部へのアクセスを妨げるように、メンテナンス面部と受け取り部との間に固定的に配置される。延長部には、受け取り部が受け取ったドレン水をドレン管へと排水する排水口が形成されている。ドレン管は、ケーシングの外部に連通する。
【０００８】
この空気調和装置では、熱交換器や熱交換器において発生するドレン水を回収するドレンパンなどの各種部品がケーシングの内部に収容されている。ドレンパンは、その一部分（延長部）が、その他の一部分であって熱交換器において発生するドレン水を受け取るための部分（受け取り部）からメンテナンス面部側に向かって延びた構造となっている。この受け取り部は、メンテナンス面部側から見てある部品の奥側にあり、この延長部には、ドレン水をドレン管に案内する排水口が形成されている。これにより、この空気調和装置では、ドレンパンのドレン水を受け取るための受け取り部がケーシングのメンテナンス面部側から見てある部品の奥側にあり、作業者によりアクセスされ難い位置に配置されている場合であっても、ドレンパンの排水口まわりを容易に点検することができる。
【０００９】
第２発明に係る空気調和装置は、第１発明に係る空気調和装置であって、蓋部をさらに備える。蓋部は、皿形状の延長部の少なくとも一部分の蓋をする。蓋部は、取り外し可能である。
【００１０】
この空気調和装置では、取り外し可能な蓋部によりドレンパンの延長部が蓋をされる。これにより、この空気調和装置では、ケーシングの内部に生じている気流によって延長部に溜まっているドレン水が飛散することを抑制しつつ、排水口まわりの点検時には蓋部を取り外して排水口まわりの様子を容易に視認することができる。
【００１１】
第３発明に係る空気調和装置は、第１発明または第２発明に係る空気調和装置であって、上記部品は、第１部分と、第２部分とを有する。第２部分は、第１部分にメンテナンス面部側から見て左右方向に隣接し、第１部分よりも上下方向に長い。延長部は、メンテナンス面部側から見て第２部分に左右方向に隣接し、かつ、第１部分に上下方向に隣接する。
【００１２】
この空気調和装置では、ケーシングのメンテナンス面部とドレンパンの受け取り部との間に配置された部品が、例えば、メンテナンス面部側から見て略矩形形状の４つの角のいずれかに切り欠きを加えた形状をしていてもよいし、略矩形形状の４つの辺のいずれかに切り欠きを加えた形状をしていてもよいし、略矩形形状に孔を開けた形状をしていてもよい。なお、この部品の第１部分と第２部分とは、別体であってもよいし、一体的に形成されていてもよい。そして、この空気調和装置では、メンテナンス面部側から見てこうした切り欠きや孔の部分にドレンパンの延長部が対応している。これにより、この空気調和装置では、ドレンパンの排水口まわりへのアクセスがより容易になる。
【００１３】
第４発明に係る空気調和装置は、第３発明に係る空気調和装置であって、延長部と第１部分との間には、メンテナンス面部側から見て空隙が存在している。
【００１４】
この空気調和装置では、メンテナンス面部側から見てドレンパンの延長部の上方または下方に空隙が存在している。これにより、この空気調和装置では、ドレンパンの排水口まわりへのアクセスがより容易になる。
【００１５】
第５発明に係る空気調和装置は、第１発明から第４発明のいずれかに係る空気調和装置であって、熱交換器は、上下方向から見てメンテナンス面部と直交する方向の断面視形状がＶ字形状である。
【００１６】
一般に、Ｖ字形状の熱交換器では、Ｖ字の頂点部分に沿ってドレンパンの受け取り部が配置されることになる。したがって、Ｖ字形状の熱交換器を備える空気調和装置では、ドレンパンの受け取り部が相対的にケーシングの中央付近に配置されることになる。一方、第５発明に係る空気調和装置では、ドレンパンの受け取り部がケーシングの中央付近に配置されている場合であっても、ドレンパンの排水口まわりを容易に点検することができる。
【００１７】
第６発明に係る空気調和装置は、第１発明から第５発明のいずれかに係る空気調和装置であって、上記部品は、電装品箱である。
【００１８】
この空気調和装置では、ドレンパンの受け取り部とメンテナンス面部との間に電装品箱が存在している。これにより、この空気調和装置では、電装品箱の存在によってメンテナンス面部側からドレンパンの受け取り部へのアクセスが困難な場合であっても、ドレンパンの排水口まわりを容易に点検することができる。
【発明の効果】
【００１９】
第１発明に係る空気調和装置では、ドレンパンのドレン水を受け取るための受け取り部がケーシングのメンテナンス面部側から見てある部品の奥側にあり、作業者によりアクセスされ難い位置に配置されている場合であっても、ドレンパンの排水口まわりを容易に点検することができる。
【００２０】
第２発明に係る空気調和装置では、ケーシングの内部に生じている気流によって延長部に溜まっているドレン水が飛散することを抑制しつつ、排水口まわりの点検時には蓋部を取り外して排水口まわりの様子を容易に視認することができる。
【００２１】
第３発明に係る空気調和装置では、ドレンパンの排水口まわりへのアクセスがより容易になる。
【００２２】
第４発明に係る空気調和装置では、ドレンパンの排水口まわりへのアクセスがより容易になる。
【００２３】
第５発明に係る空気調和装置は、ドレンパンの受け取り部がケーシングの中央付近に配置されている場合であっても、ドレンパンの排水口まわりを容易に点検することができる。
【００２４】
第６発明に係る空気調和装置では、電装品箱の存在によってメンテナンス面部側からドレンパンの受け取り部へのアクセスが困難な場合であっても、ドレンパンの排水口まわりを容易に点検することができる。
【発明を実施するための最良の形態】
【００２５】
以下、図面を参照して、本発明の一実施形態に係る室内ユニット２（空気調和装置）について説明する。
【００２６】
＜第１実施形態＞
〔空調システムの全体構成〕
本発明の第１実施形態に係る室内ユニット２を有する空調システム１は、電算機室内の空気を冷却するために用いられる冷房専用の空調システムである。
【００２７】
図１に示されるように、空調システム１は、室内ユニット２と、室内ユニット２に冷媒連絡配管３１，３４を介して連結される室外ユニット３とを有している。空調システム１は、２系統の冷媒回路を形成しており、これらの２系統の冷媒回路は、同様の構成を有している。室内ユニット２は、電算機室内に設置されており、室外ユニット３は、屋外に設置されている。空調システム１の冷媒回路内を循環するフルオロカーボンなどの冷媒は、室内ユニット２側においては電算機室内の空気との間で熱交換を行い吸熱し、室外ユニット３側においては外気との間で熱交換を行い放熱する。
【００２８】
室内ユニット２は、圧縮機１０と、蒸発器１１と、膨張弁１２と、ファンモータ１４と、室内側ファン１５とを有している。室外ユニット３は、レシーバ２０と、凝縮器２１と、ガス側閉鎖弁２２と、液側閉鎖弁２３と、室外側ファン２４とを有している。そして、圧縮機１０と、ガス側閉鎖弁２２と、凝縮器２１と、レシーバ２０と、液側閉鎖弁２３と、膨張弁１２と、蒸発器１１とが配管３０〜３５を介して連結されることにより、空調システム１の冷媒回路が形成されている。
【００２９】
ガス側閉鎖弁２２および液側閉鎖弁２３は、室外ユニット３側における空調システム１の冷媒回路の末端部に設けられている。ガス側閉鎖弁２２は、ガス冷媒連絡配管３１およびガス冷媒配管３２に連結され、液側閉鎖弁２３は、液冷媒連絡配管３４および液冷媒配管３３に連結されている。これらの閉鎖弁２２，２３は、室内ユニット２および室外ユニット３を現地に設置する前には閉状態とされており、各ユニット２，３を現地に設置し冷媒連絡配管３１，３４をそれぞれ閉鎖弁２２，２３に連結した後に開状態とされる。
【００３０】
以下に、空調システム１の２系統の冷媒回路のうち一方の冷媒回路を例に挙げて、冷媒が空調システム１の冷媒回路内を循環する様子について説明する。なお、図１中、矢印Ａは冷媒の流れる方向を示している。
【００３１】
室内ユニット２に電源が投入されると、室内ユニット２側の圧縮機１０は、ガス冷媒配管３０からガス冷媒を吸入して低圧状態から高圧状態に圧縮し、この高圧状態のガス冷媒を吐出してガス冷媒連絡配管３１を介して室外ユニット３側へと送り込む。一方、室外ユニット３側では、室内ユニット２側から送られてきた高圧状態のガス冷媒がガス冷媒配管３２を介して凝縮器２１へと導かれ、凝縮器２１において外気との間で熱交換を行って凝縮する。このとき、室外ユニット３のケーシング（図示せず）の内部には室外側ファン２４の駆動によって気流が形成されており、凝縮器２１における熱交換が促される状態になっている。凝縮器２１において凝縮した液冷媒は、液冷媒配管３３を介してレシーバ２０に供給される。レシーバ２０は、室内ユニット２の運転負荷に応じて発生する余剰冷媒を一時的に溜めるための容器である。続いて、レシーバ２０を出た高圧状態の液冷媒は、液冷媒連絡配管３４を介して室内ユニット２側の膨張弁１２に達し、膨張弁１２において低圧状態へと変化する。膨張弁１２において低圧状態とされた液冷媒は、液冷媒配管３５を介して蒸発器１１へと導かれ、蒸発器１１において電算機室内の空気との間で熱交換を行って蒸発する。このとき、室内ユニット２のケーシング４０（後述する）の内部には室内側ファン１５の駆動によって気流が形成されており、蒸発器１１における熱交換が促される状態になっている。こうして再び低圧のガス状態となった冷媒は、ガス冷媒配管３０を介して圧縮機１０の吸入管へと供給される。
【００３２】
〔室内ユニットの全体構成〕
図２は、室内ユニット２の正面図であり、図３は、室内ユニット２の平面図であり、図４は、室内ユニット２の右側面図である。なお、図２においては、ケーシング４０の正面板４０ａが取り外されており、図３においては、天板４０ｅが取り外されており、図４においては、右側面板４０ｃが取り外されている。また、図２〜図４においては、簡単のために、主要部品以外の部品が一部省略されている。
【００３３】
室内ユニット２のケーシング４０は、略直方体形状を有しており、主として、正面板４０ａと、左側面板４０ｂと、右側面板４０ｃと、背面板４０ｄと、天板４０ｅと、底板４０ｆとから構成されている。
【００３４】
正面板４０ａは、２枚の扉を有しており、これらの２枚の扉は、左右方向の略中央から正面板４０ａを左右方向に２分するように開く観音開きの扉となっている。これにより、作業者は、正面板４０ａを開くことにより、ケーシング４０の内部に配置されている各種部品のメンテナンス作業を行うことができるようになっている。
【００３５】
左側面板４０ｂは、正面板４０ａ側から見て正面板４０ａの左側に位置しており、右側面板４０ｃは、正面板４０ａ側から見て正面板４０ａの右側に位置している。天板４０ｅには、電算機室内の空気をケーシング４０の内部に吸い込むための多数のスリットが形成されている。底板４０ｆには、２台の室内側ファン１５の下方に開口が形成されており、この開口は、ケーシング４０の内部の空間をフリーアクセスの床下の空間に連通させている。
【００３６】
ケーシング４０の内部の空間は、３段構成となっており、仮想的に上下方向に並ぶ３つの空間Ａ１〜Ａ３に分割される。各空間Ａ１〜Ａ３は、上下方向におおよそ同じ長さを有している。上段の空間Ａ１には、蒸発器１１、ドレンパン１７および電装品箱１６が配置されており、中段の空間Ａ２には、室内側ファン１５およびファンモータ１４が２台ずつ配置されており、下段の空間Ａ３には、インバータ圧縮機１０ａおよび定速圧縮機１０ｂが２台ずつ配置されている。なお、図１中の圧縮機１０は、インバータ圧縮機１０ａと定速圧縮機１０ｂとを組み合わせたものである。
【００３７】
〔主要部品の構成〕
（１）蒸発器
蒸発器１１は、クロスフィンチューブ式の熱交換器であり、室内ユニット２を側面板４０ｂ，４０ｃ側から見て略Ｖ字形状を有している。蒸発器１１のＶ字の頂点は、下方を向いている。蒸発器１１は、正面板４０ａ側から見て電装品箱１６の奥側に配置されており、左右方向におおよそ正面板４０ａと同じ幅を有している。また、蒸発器１１は、右側面板４０ｃ側から見て中央に配置されている。
【００３８】
（２）室内側ファンおよびファンモータ
２台の室内側ファン１５および２台のファンモータ１４は、正面板４０ａ側から見て左右方向に交互に並べられており、最左に室内側ファン１５が配置されている。また、２台の室内側ファン１５および２台のファンモータ１４は、右側面板４０ｃ側から見て背面板４０ｄよりに配置されている。室内側ファン１５が駆動されると、ケーシング４０の内部には気流が形成され、天板４０ｅに形成されているスリットから吸い込まれた空気が底板４０ｆに形成されている開口を介して吹き出されるようになる。
【００３９】
（３）圧縮機
インバータ圧縮機１０ａは、インバータにより回転数制御が為される容量可変の圧縮機であり、定速圧縮機１０ｂは、オンオフ制御が為される定容量の圧縮機である。２台のインバータ圧縮機１０ａおよび２台の定速圧縮機１０ｂは、正面板４０ａ側から見て左右方向に交互に並べられており、最左にインバータ圧縮機１０ａが配置されている。また、４台の圧縮機１０ａ，１０ｂは、右側面板４０ｃ側から見て正面板４０ａよりに配置されている。
【００４０】
（４）ドレンパン
図５（ａ）および図５（ｂ）は、後述する蓋部材１８が取り付けられた状態のドレンパン１７を示している。図５（ａ）および図５（ｂ）中、蓋部材１８により隠れるドレンパン１７の外形を破線で示している。
【００４１】
ドレンパン１７は、板金製の皿形状の導水路であり、蒸発器１１の表面において結露したドレン水を回収し、ケーシング４０の外部に連通するドレン管４１へと案内する役割を果たす。
【００４２】
ドレンパン１７は、主として、本体部１７ａと延長部１７ｂとから構成されており、平面視において略Ｌ字形状を有している。延長部１７ｂは、正面板４０ａ側から見て本体部１７ａの左端から正面板４０ａ側に向けて延びている。本体部１７ａと延長部１７ｂとは、一体的に形成されており、互いに連通している。
【００４３】
本体部１７ａは、蒸発器１１のＶ字の頂点部分に沿ってその真下に配置されており、正面板４０ａ側から見て左右方向におおよそ正面板４０ａと同じ幅を有している（すなわち、正面板４０ａ側から見て左右方向におおよそ蒸発器１１と同じ幅を有している）。これにより、本体部１７ａは、蒸発器１１の表面から落下するドレン水を受け取ることができるようになっている。
【００４４】
延長部１７ｂには、排水口１９が形成されており、排水口１９は、排水口１９の真下に配置されているドレン管４１に連通している。
【００４５】
本体部１７ａおよび延長部１７ｂの底面は、排水口１９の形成されている位置が最下部となるように、当該位置に向けて傾斜している。これにより、本体部１７ａにより受け取られたドレン水は、重力に従って排水口１９まで自動的に導かれ、排水口１９を介してドレン管４１へと排水されるようになっている。
【００４６】
延長部１７ｂの上部には、板金製の蓋部材１８が取り付けられている。この蓋部材１８は、延長部１７ｂのほぼ全面を覆っており、室内側ファン１５の駆動によってケーシング４０の内部に形成される気流が延長部１７ｂに集められたドレン水を飛散させることを抑制している。
【００４７】
蓋部材１８は、図６（ａ）に示されるように、平面視において略矩形形状を有しており、正面板４０ａに近接する辺から切り込み１８ａが形成されている。この切り込み１８ａは、本体部１７ａとは別ルートでドレン水を導く配管（図示されない）を延長部１７ｂの上方から延長部１７ｂへと案内するためのものである。
【００４８】
また、蓋部材１８には、図６（ｂ）に示されるように、引っ掛け機構１８ｂが設けられている。蓋部材１８は、引っ掛け機構１８ｂが皿形状の延長部１７ｂに引っ掛けられることにより、正面板４０ａから見て左右方向に延長部１７ｂに対して位置合わせがされるようになっている。そして、蓋部材１８は、この引っ掛け機構１８ｂにより引っ掛けられた態様で延長部１７ｂの上に載せられているだけであり、容易に取り外すことができるようになっている。すなわち、作業者は、正面板４０ａを開いて排水口１９まわりの点検を行う場合には、蓋部材１８を取り外すことにより排水口１９まわりの様子を容易に視認することができるようになっている。
【００４９】
（５）電装品箱
電装品箱１６は、板金製の箱であり、その内部には、室内ユニット２の運転を制御する制御Ｐ板や、インバータ圧縮機１０ａを制御するインバータ、室内側ファン１５を制御するインバータ、端子台などの電装品が収容されている。電装品箱１６は、正面板４０ａに近接する位置に配置されており、正面板４０ａ側から見て左右方向におおよそ正面板４０ａと同じ幅を有している（すなわち、正面板４０ａ側から見て左右方向におおよそ蒸発器１１およびドレンパン１７と同じ幅を有している）。
【００５０】
電装品箱１６は、主として、第１部分１６ａと第２部分１６ｂとから構成されている（図２および図３参照）。第１部分１６ａおよび第２部分１６ｂは、それぞれ略直方体形状を有している。なお、第１部分１６ａおよび第２部分１６ｂは、電装品箱１６の仮想的な分割単位であって、実際には、一体的に形成されている。
【００５１】
第１部分１６ａは、正面板４０ａ側から見て第２部分１６ｂの左側に存在している。第２部分１６ｂの上下方向の長さは、第１部分１６ａの上下方向の長さよりも長くなっており、正面板４０ａ側から見た第１部分１６ａの左右方向の幅は、おおよそ正面板４０ａ側から見たドレンパン１７の延長部１７ｂの左右方向の幅と同じになっている。そして、第１部分１６ａの上辺と第２部分１６ｂの上辺とは、高さ位置が揃えられている。すなわち、全体として、電装品箱１６は、略直方体形状の箱の正面板４０ａ側から見て左下の角により小さい略直方体形状の切り欠きを加えた形状を有している。
【００５２】
電装品箱１６とドレンパン１７とは、平面視においては重ならないようになっている（図３参照）。また、正面板４０ａ側から見ると、電装品箱１６の第１部分１６ａは、ドレンパン１７の延長部１７ｂの上方に存在している。これにより、第１部分１６ａの下方であって、第２部分１６ｂの正面板４０ａ側から見て左下方には、空間Ｓ１（図２参照）が形成されている。これにより、作業者が、正面板４０ａ側からドレンパン１７の存在する電装品箱１６の奥側の空間にアクセスすることが可能になっている。また、この空間Ｓ１は、正面板４０ａ側から見ると、第１部分１６ａの下方であって、ドレンパン１７の延長部１７ｂの上方に存在している。すなわち、メンテナンスのために正面板４０ａを開いた作業者は、空間Ｓ１から手を伸ばしてドレンパン１７の延長部１７ｂにその上方からアクセスすることが可能であり、蓋部材１８を取り外して延長部１７ｂの排水口１９まわりの様子を確認することができる。
【００５３】
＜特徴＞
（１）
上記実施形態では、ドレンパン１７が、ドレン水を受け取るための本体部１７ａと、本体部１７ａから正面板４０ａ側に向かって延びる延長部１７ｂとを有している。そして、ドレンパン１７とドレン管４１とを連通させる排水口１９が、延長部１７ｂに形成されている。これにより、正面板４０ａ側から排水口１９まわりの点検を行う作業者の作業性か向上する。
【００５４】
（２）
上記実施形態では、蓋部材１８によってドレンパン１７の延長部１７ｂのほぼ全面が蓋をされるようになっており、この蓋部材１８は、取り外し可能となっている。これにより、ケーシング４０の内部に生じている気流によって延長部１７ｂに溜まっているドレン水が飛散することが抑制されるとともに、排水口１９まわりの点検時には作業者が蓋部材１８を取り外して排水口１９まわりの様子を容易に視認することができるようになっている。
【００５５】
（３）
上記実施形態では、正面板４０ａとドレンパン１７との間に配置された電装品箱１６が、正面板４０ａ側から見て略矩形形状の左下の角により小さい略矩形形状の切り欠きを加えた形状を有している。そして、正面板４０ａ側から見てドレンパン１７の延長部１７ｂの上方であって、電装品箱１６の左下方には、空間Ｓ１が形成されている。これにより、作業者は、排水口１９の形成されている延長部１７ｂにその上方から容易にアクセスすることができる。
【００５６】
（４）
上記実施形態では、皿形状のドレンパン１７の底面が、排水口１９まわりが最下部となるような態様で傾斜している。これにより、蒸発器１１において発生したドレン水は、重力に従って自動的に延長部１７ｂに形成されている排水口１９に集められ、ドレン管４１へと排水されるようになっている。
【００５７】
＜変形例＞
以上、本発明の一実施形態について説明したが、本発明は上記実施形態に限定されるものではなく、発明の要旨を逸脱しない範囲で種々の変更が可能である。
【００５８】
（Ａ）
本発明に係る空気調和装置は、室内ユニットではなく室外ユニットであってもよい。また、電算機室用でなくてもよい。
【００５９】
（Ｂ）
ケーシング４０の正面板４０ａとドレンパン１７の本体部１７ａとの間に配置される部品は、電装品箱でなくてもよい。
【００６０】
（Ｃ）
電装品箱１６の形状は、上記実施形態において示されたものに限定されない。
【００６１】
すなわち、正面板４０ａ側から見て、電装品箱１６は、略矩形形状の左下の角ではなくその他の角に切り欠きが加えられた形状を有していてもよいし、図７（ａ）のように、略矩形形状の４つの辺のいずれかに切り欠きが加えられた形状を有していてもよいし、図７（ｂ）のように略矩形形状に孔を開けた形状をしていてもよい。また、切り欠きの形状についても、略矩形形状ではなく、円形などのその他の形状であってもよい。
【００６２】
（Ｄ）
また、上記実施形態において、電装品箱１６の代わりに、正面板４０ａ側から見て図８に示される形状の電装品箱１１６が配置されていてもよい。
【００６３】
電装品箱１１６は、その一部分である着脱部１１６ｂをその他の本体部１１６ａから取り外すことが可能になっている。正面板４０ａ側から見た着脱部１１６ｂの奥側には、ドレンパン１７の延長部１７ｂが存在している。したがって、作業者は、この着脱部１１６ｂを取り外すことにより、ドレンパン１７の排水口１９まわりの点検時に容易に排水口１９の形成されている延長部１７ｂにアクセスすることができる。
【００６４】
（Ｅ）
上記実施形態において、ドレンパン１７の延長部１７ｂは、本体部１７ａから電装品箱１６よりも正面板４０ａよりの位置まで延びていてもよい。
【産業上の利用可能性】
【００６５】
本発明は、ドレンパンのドレン水を受け取るための受け取り部がケーシングのメンテナンス面部側から見てある部品の奥側にあり、作業者によりアクセスされ難い位置に配置されている場合であっても、ドレンパンの排水口まわりを容易に点検することができるという効果を有し、空気調和装置、特に、電算機室で用いられる空気調和装置として有用である。
【図面の簡単な説明】
【００６６】
【図１】本発明の第１実施形態に係る空調システムの冷媒回路図。
【図２】本発明の第１実施形態に係る室内ユニットの正面図。
【図３】本発明の第１実施形態に係る室内ユニットの平面図。
【図４】本発明の第１実施形態に係る室内ユニットの右側面図。
【図５】（ａ）ドレンパンの平面図。（ｂ）ドレンパンの正面図。
【図６】（ａ）蓋部材の平面図。（ｂ）蓋部材を（ａ）に示されるＢ方向から見た図。
【図７】本発明の第１実施形態の変形例（Ｃ）に係る図。
【図８】本発明の第１実施形態の変形例（Ｄ）に係る図。
【符号の説明】
【００６７】
２  室内ユニット（空気調和装置）
１１  蒸発器（熱交換器）
１６  電装品箱（部品）
１６ａ  第１部分
１６ｂ  第２部分
１７  ドレンパン
１７ａ  本体部（受け取り部）
１７ｂ  延長部
１８  蓋部材（蓋部）
１９  排水口
４０  ケーシング
４０ａ  正面板（メンテナンス面部）
４１  ドレン管
【図１】
2008070003.tif 000003
【図２】
2008070003.tif 000004
【図３】
2008070003.tif 000005
【図４】
2008070003.tif 000006
【図５】
2008070003.tif 000007
【図６】
2008070003.tif 000008
【図７】
2008070003.tif 000009
【図８】
2008070003.tif 000010